【手続補正書】
【提出日】平成25年7月23日(2013.7.23)
【手続補正１】
【補正対象書類名】明細書
【補正対象項目名】００１４
【補正方法】変更
【補正の内容】
【００１４】
【図１】本発明の一実施例に係る半田付け装置の構成を示す斜視図である。
【図２】図１に示した半田付け装置の分解斜視図である。
【図３】（ａ）は図１に示した半田付け装置の短手方向の断面図、（ｂ）は図１に示した半田付け装置に内蔵されるヒータの配置と逆止弁の駆動装置の一例の構成、及びこれらの制御装置との接続を示す説明図である。
【図４】（ａ）から（ｄ）は図１に示した半田付け装置の動作を示す図である。
【図５】（ａ）は従来の半田付け装置による半田付けの方法を示す図、（ｂ）は図１に示した半田付け装置による半田付けの方法を示す図である。
【図６】（ａ）は図１に示した半田付け装置の逆止弁の弁軸に設けた電極によって半田付け装置内の半田の残量の検出装置の構成を示す構成図、（ｂ）は(ａ)の半田の残量の検出装置が半田が少なくなった時に警報を発する状態を説明する構成図である。
【図７】（ａ）は図１に示した半田付け装置の変形実施例の構成を示す部分斜視図、（ｂ）は本発明に係る半田付け装置の他の実施例の構成を示す部分斜視図である。
【図８】図１に示した半田付け装置を搭載した自動半田付け装置の第１の形態の構成を示す構成図である。
【図９】図１や図７（ｂ）に示した半田付け装置を複数個組み合わせて搭載した自動半田付け装置の第２の形態の構成を示す構成図である。
【手続補正２】
【補正対象書類名】特許請求の範囲
【補正対象項目名】全文
【補正方法】変更
【補正の内容】
【特許請求の範囲】
【請求項１】
半田付け用の半田を蓄えるために上面が開口された半田付け装置本体と、
前記半田付け装置本体の側壁に設けられたヒータと、
前記半田付け装置本体の内部に設けられ、底面、側壁及び天井壁で囲まれた密封空間を備えた半田貯留部と、
上端側が前記半田貯留部の天井壁を貫通して前記半田付け装置本体の開口側に突出し、下端側が前記底面より所定距離離れた位置まで延長されたノズルと、
前記半田貯留部の半田液面より高い位置に設けられ、気体供給源に接続する気体注入口と、
前記半田付け装置本体の内部に設けられ、天上部が開口し、底部に設けられた前記半田貯留部への連通口に逆止弁を備え、前記ノズルから流れ出て前記天井壁を伝って流れる半田を回収する半田回収部とを備えることを特徴とする半田付け装置。
【請求項２】
前記天井壁は前記ノズル側から前記半田回収部側に向かって傾斜していることを特徴とする請求項１に記載の半田付け装置。
【請求項３】
前記ヒータは、垂直方向の高さを異ならせて前記側壁の水平方向に複数本巻回され、
前記複数本のヒータの各個は独立に通電制御可能であることを特徴とする請求項１または２に記載の半田付け装置。
【請求項４】
前記半田回収部は、前記天井壁を窪ませることによって形成されていることを特徴とする請求項１から３の何れか１項に記載の半田付け装置。
【請求項５】
更に逆止弁駆動装置と半田貯留量不足検出装置とを備えており、
前記逆止弁駆動装置は、前記逆止弁から前記開口側に延長された弁軸を上下動させることにより前記逆止弁による前記連通口の開閉を制御し、
前記半田貯留量不足検出装置は、前記弁軸に取り付けられて前記逆止弁が前記連通口を開口している状態で、前記半田回収部内の半田の液位が規定値未満になった時に露出する電極と前記半田回収部内の半田との導通を検出しており、前記電極と前記半田との導通が失われた時に、前記半田付け装置の半田貯留量不足を通知することを特徴とする請求項１から４の何れか１項に記載の半田付け装置。
【請求項６】
前記半田付け装置本体は直方体形状をしており、
前記ノズルは前記半田付け装置本体の長手方向に沿って細長い形状となっていることを特徴とする請求項１から５の何れか１項に記載の半田付け装置。
【請求項７】
前記半田付け装置本体は直方体形状をしており、
前記ノズルは前記天井壁を貫通する任意の直径を備えた円筒状をしており、前記半田付け装置本体の長手方向に沿って少なくとも１つ設けられ、複数個設置される場合は、各個が半田付けする部位に合わせて所定間隔隔てられていることを特徴とする請求項１から５の何れか１項に記載の半田付け装置。
【請求項８】
半田を蓄えた状態で密封空間を有する半田貯留部と、
上端側が前記半田貯留部の天井壁を貫通する半田噴出用のノズルと、
前記密封空間に気体を注入する気体注入口と、
前記半田貯留部に連通する連通口と該連通口を開閉する逆止弁とを有し、前記連通口を開けることによって前記ノズルから噴出して、前記天井壁を伝って流れる半田を前記半田貯留部に回収する半田回収部とを備えることを特徴とする半田付け装置。
【請求項９】
請求項６に記載の半田付け装置を備えて回路基板の半田付け箇所を自動的に半田付けする自動半田付け装置であって、
前記半田付け装置を左右方向及び上下方向に移動させる移動装置と、
回路基板を搬送する回路基板搬送装置と、
前記移動装置、前記回路基板搬送装置、前記気体供給源及び前記逆止弁の駆動を制御する制御装置を備えており、
前記制御装置は、
前記回路基板搬送装置を駆動して半田付けを行う回路基板を半田付け位置に搬送し、
前記移動装置を駆動して前記半田付け装置を半田付け位置まで上昇させ、
前記逆止弁を駆動して前記連通口を閉じ、
前記気体供給源を駆動して、前記ノズルから前記半田貯留部内の半田を噴出させて前記回路基板の半田付けを行い、
前記気体供給源の駆動を停止した後に、前記移動装置の中の高さ方向の移動装置を駆動して前記半田付け装置を前記半田付け位置から下降させ、
前記逆止弁を駆動して前記連通口を開き、前記半田貯留部と前記半田回収部内の半田の液位を合わせて次の半田付けに備えることを特徴とする自動半田付け装置。
【請求項１０】
請求項６に記載の半田付け装置及び請求項７に記載の半田付け装置をそれぞれ少なくとも１つずつ備えて回路基板の半田付け箇所を自動的に半田付けする自動半田付け装置であって、
前記半田付け装置を縦横方向に移動させる縦方向移動装置と横方向移動装置と、
前記横方向移動装置の上に設置され、前記半田付け装置を独立に上下方向に移動させる上下方向移動装置と、
回路基板を搬送する回路基板搬送装置と、
前記縦方向移動装置、横方向移動装置、上下方向移動装置、前記回路基板搬送装置、前記気体供給源及び前記逆止弁の駆動を制御する制御装置を備えており、
前記制御装置は、次に半田付け位置に搬送する回路基板の種類を判別した上で、
前記回路基板搬送装置を駆動して半田付けを行う回路基板を半田付け位置に搬送し、
判別した前記回路基板の種類に応じて、前記縦方向移動装置と横方向移動装置及び前記上下方向移動装置を駆動して前記半田付け装置の何れかを半田付け位置まで上昇させ、
上昇させた前記半田付け装置にある前記逆止弁を駆動して前記連通口を閉じ、
前記気体供給源を駆動して、上昇させた前記半田付け装置にある前記ノズルから前記半田貯留部内の半田を噴出させて前記回路基板の半田付けを行い、
前記気体供給源の駆動を停止した後に、前記上下方向移動装置を駆動して上昇中の前記半田付け装置を前記半田付け位置から下降させ、
下降させた前記半田付け装置にある前記逆止弁を駆動して前記連通口を開き、前記半田貯留部と前記半田回収部内の半田の液位を合わせて次の半田付けに備えることを特徴とする自動半田付け装置。
【請求項１１】
次の半田付けが同一回路基板内の別の場所の半田付けであり、
前記制御装置は、前記回路基板搬送装置を停止させた状態で、前記縦方向移動装置と横方向移動装置及び前記上下方向移動装置を駆動し、他の前記半田付け装置を半田付け位置まで上昇させて半田付けを行うことを特徴とする請求項１０に記載の自動半田付け装置。